(57)【特許請求の範囲】
【請求項１】
グリップを有するビデオカメラが収容されるビデオカメラ用キャリングケースであって、
周面部と底面部からなり上部が開放され、前記ビデオカメラが撮影レンズを前記底面部に向けた姿勢で収納されるケース本体と、
前記ケース本体の上部を閉塞すると共に前記ケース本体に対して取り外し可能に構成された蓋と、を備え、
前記ケース本体に、前記周面部の上縁から前記底面部に向けて細長状に延在形成されて前記ビデオカメラが前記ケース本体に収容された状態で前記グリップを突出させる欠部と、当該欠部の上方を跨いで掛け渡され、前記蓋を取り外した状態で前記ビデオカメラの前記ケース本体からの抜落を防止するセーフティベルトを設けた
ことを特徴とするビデオカメラ用キャリングケース。
【請求項２】
前記セーフティベルトの一端は前記周面部に取着し、他端は面ファスナーを介して前記周面部に取り外し可能に取着したことを特徴とする請求項１記載のビデオカメラ用キャリングケース。
【請求項３】
前記欠部に対向する周面部箇所に撮影者のズボンのベルトを挿通するため係止具が取着され、前記ケース本体は前記係止具を介して撮影者のズボンのベルトに、前記底面部が下方に向き開放された上部が上方を向くように吊り下げられ、前記ビデオカメラは、撮影レンズを前記底面部に向けてケース本体にその大半の部分が収容されることを特徴とする請求項１記載のビデオカメラ用キャリングケース。
【請求項４】
前記ケース本体には、前記底面部を下方に向けて吊り下げることができるようにショルダーベルト取り付け用の金具が設けられていることを特徴とする請求項１記載のビデオカメラ用キャリングケース。
【発明の詳細な説明】
【０００１】
【発明の属する技術分野】
本発明はビデオカメラ用キャリングケースに関する。
【０００２】
【従来の技術】
ビデオカメラの多くは合成樹脂製のケースを備え、ケースにはグリップが設けられている。このグリップは、一般に、手のひらを通せるように可撓可能な帯状の部材の両端がケースに取着されることで構成されている。
そして、このようなビデオカメラを収容するビデオカメラ用キャリングケースは、上部が開放されたケース本体と、ケース本体の上部を閉塞する蓋からなり、ケース本体にビデオカメラを挿入し蓋でケース本体の上部を閉塞すると、グリップを含んだビデオカメラ全体がビデオカメラ用キャリングケースに収容されるように構成されている。
【０００３】
【発明が解決しようとする課題】
しかしながら従来のビデオカメラ用キャリングケースでは、上述のようにビデオカメラと共にグリップもビデオカメラ用キャリングケースに収容されてしまうため、ビデオカメラがビデオカメラ用キャリングケースの内部に収容された状態から撮影しようとする場合、蓋を開ける動作、ビデオカメラをケース本体から取り出す動作、グリップに手のひらを通す動作の三つの動作が必要となる。
そのため、ビデオカメラをビデオカメラ用キャリングケースに収容した状態で急に撮影したいような場合には、撮影までに時間が掛かり、撮影のチャンスを逃がしてしまうなどの不具合がある。
また、撮影チャンスを逃がさないようにする場合には、ビデオカメラ用キャリングケースに入れずにビデオカメラを持ち歩かなければならず、ビデオカメラ用キャリングケースが何ら役に立っていないなどの不具合もあった。
【０００４】
本発明は前記事情に鑑み案出されたものであって、本発明の目的は、ビデオカメラをビデオカメラ用キャリングケースに収容した状態から簡単に取り出すことができ、チャンスを逃がすことなく撮影できるようにしたビデオカメラ用キャリングケースを提供することにある。
【０００５】
【課題を解決するための手段】
前記目的を達成するため本発明は、グリップを有するビデオカメラが収容されるビデオカメラ用キャリングケースであって、周面部と底面部からなり上部が開放され、ビデオカメラが撮影レンズを底面部に向けた姿勢で収納されるケース本体と、ケース本体の上部を閉塞すると共にケース本体に対して取り外し可能に構成された蓋と、を備え、ケース本体に、前記周面部の上縁から底面部に向けて細長状に延在形成されてビデオカメラがケース本体に収容された状態で前記グリップを突出させる欠部と、その欠部の上方を跨いで掛け渡され、蓋を取り外した状態でビデオカメラのケース本体からの抜落を防止するセーフティベルトを設けたことを特徴とする。
【０００６】
本発明によれば、ビデオカメラがビデオカメラ用キャリングケースに収容された状態で、ビデオカメラのグリップがビデオカメラ用キャリングケースの外方に突出しているので、ビデオカメラ用キャリングケースからのビデオカメラの取り出しが簡単に迅速になされる。
【０００７】
【発明の実施の形態】
以下、本発明の実施の形態を図面を参照して説明する。
図１および図２はケース本体に蓋が取着され、かつ、ビデオカメラが収容されていない状態のビデオカメラ用キャリングケースの説明図で、図１（Ａ）は平面図、図１（Ｂ）は正面図、図２（Ａ）は図１（Ａ）のＣ矢視図、図２（Ｂ）は図２（Ａ）のＤ矢視図を示す。また、図３（Ａ）は蓋が取り外されたケース本体にビデオカメラが挿入された状態の正面図、図３（Ｂ）はケース本体にビデオカメラが挿入され蓋が取着された状態の正面図、図４はケース本体にビデオカメラが挿入され蓋が取着された状態の平面図、図５は蓋が取り外されたケース本体をズボンのベルトに吊り下げこのケース本体にビデオカメラを挿入した状態の斜視図を示す。
【０００８】
まず、本発明の実施の形態のビデオカメラ用キャリングケース１２に収容されるビデオカメラ２２から説明すると、図３（Ａ）に示すように、ビデオカメラ２２は、撮影レンズ２４やビューファインダー２５をはじめとする種々のビデオカメラ構成部材が組み込まれた合成樹脂製のケース２６を備え、撮影レンズ２４の光軸と直交する方向に位置するケース２６の側面にグリップ２８が設けられ、ケース２６の後部には脱着可能に充電池３０が取着されている。
【０００９】
前記グリップ２８は、可撓可能な帯状の部材（ベルト）の両端が係止具２８０２を介し間隔をおいてケース２６に取着されることで構成されており、ケース２６とグリップ２８とで形成される細長い楕円形の空間に手のひらを通せるように構成されている。そして、ケース２６に取着される帯状の部材の長さは調節可能で、グリップ２８の内側に手のひらを通し手のひらの内側をケース２６に合わせることでケース２６を固定し、撮影が行なわれ、非撮影時には、グリップ２８がストラップとしても使用される。なお、帯状の部材には軟質ゴム製の帯板２８０４が取り付けられており、グリップ２８としての機能がより効果的に発揮されるようになっている。
【００１０】
ビデオカメラ用キャリングケース１２は、図１乃至図３に示すように、ケース本体３２と、前記ケース本体３２の上部を閉塞する蓋３４とで構成され、ケース本体３２や蓋３４は、表面が合成皮革等で形成され、内面にスポンジ等が張り合せて形成され、扁平に折り畳んで収納可能である。
ケース本体３２は、周面部３６と底面部３８からなり上部が開放状に形成され、底面部３８は平面視した場合ほぼ矩形を呈し、周面部３６は前側面３６Ａ、後側面３６Ｂ、内側面３６Ｃ、外側面３６Ｄの４つの側面から形成されている。
前記外側面３６Ｄには、前記グリップ２８を突出させるための欠部４０が細長状に形成され、内側面３６Ｃには、図２に示すように、ズボンのベルト４２を通すための係止具４４が取着されている。また、内側面３６Ｃと外側面３６Ｄには、図３に示すように、ショルダーベルト４６の両端を取り付けるための金具４８が取着されている。
したがって、ケース本体３２の底面部３８を下方に向けて係止具４４にズボンのベルト４２を挿通しベルト４２によりケース本体３２を吊り下げ、あるいは、ショルダーベルト４６の両端を金具４８に取り付けてケース本体３２を肩から吊り下げ、ケース本体３２を撮影者の右腰部分に位置させると、前側面３６Ａが撮影者の前方に臨み、後側面３６Ｂが撮影者の後方に臨み、内側面３６Ｃが撮影者の腰に臨み、外側面３６Ｄが撮影者の腰から離れた箇所に位置した状態となる。
【００１１】
前記欠部４０は、グリップ２８に対応した幅で外側面３６Ｄの上縁から底面部３８に向かって上部が開放状に延在形成され、欠部４０の深さはグリップ２８の長さに対応した寸法で形成されている。
前記ケース本体３２は、撮影レンズ２４を前記底面部３８に向けてビデオカメラ２２をケース本体３２に挿入すると、ビデオカメラ２２の大半の部分が収容されるように構成され、この状態で前記グリップ２８が前記欠部４０に位置し、図４に示すように、欠部４０からグリップ２８がケース本体３２の外方に突出するように構成されている。
【００１２】
本実施の形態では、ビデオカメラ２２をケース本体３２に収容し、蓋３４を付けずベルト４２からケース本体３２を吊るし、あるいは、蓋３２を付けずにケース本体３２をショルダーベルト４６により肩から吊るした時に、図３（Ａ）に示すように、ビデオカメラ２２のケース本体３２からの抜落を防止するセーフティベルト５０が設けられている。前記セーフティベルト５０は、ビデオカメラ２２が撮影レンズ２４を底面部３８に向けてケース本体３２に収容された状態で、ケース本体３２の上部側に位置するビデオカメラ２２のケース２６の部分に係止するように前記欠部４０の上方を跨いで設けられ、セーフティベルト５０の一端は外側面３６Ｄの前方寄り箇所に取着され、他端は、面ファスナーなどを介して外側面３６Ｄの後方寄り箇所や後側面３６Ｂに取り外し可能に取着される。
【００１３】
前記蓋３４は、ファスナーや面ファスナー、釦などを介してケース本体３２に脱着可能に設けられ、本実施の形態では、蓋３４に一端が取着された取付片５２が設けられ、この取付片５２の他端がケース本体３２に脱着可能に取着される。そして、撮影レンズ２４を底面部３８に向けてビデオカメラ２２をケース本体３２に挿入し、蓋３４によりケース本体３２の上部を閉塞すると、グリップ２８を欠部４０からケース本体３２の外方に突出させた状態で充電池３０を含んだビデオカメラ２２全体を覆うように形成されている。
【００１４】
本実施の形態によれば、図３（Ｂ）および図４に示すように、ケース本体３２にビデオカメラ２２が挿入され蓋３４が取着された状態からビデオカメラ２２を取り出す場合、グリップ２８が欠部４０からケース本体３２の外方に突出しているので、ビデオカメラ２２をケース本体３２から取り出す動作とグリップ２８に手のひらを通す動作の二つの動作を同時に行なえ、ビデオカメラ２２をビデオカメラ用キャリングケース１２から簡単に取り出せ、迅速に撮影体勢に入ることが可能となる。
したがって、急に撮影したいような場合であっても、チャンスを逃がすことなく撮影することが可能となる。
【００１５】
また、蓋３４を付けずズボンのベルト４２からケース本体３２を吊るし、あるいは、蓋３２を付けずにケース本体３２をショルダーベルト４６により肩から吊るし、このような状態のケース本体３２にビデオカメラ２２を挿入して持ち歩けば、グリップ２８が欠部４０からケース本体３２の外方に突出していることから、より迅速に撮影体勢に入ることが可能となり、ビデオカメラ２２をケース本体３２に挿入して持ち歩いても撮影チャンスを逃がさずに撮影することが可能となる。
本実施の形態では、前記ケース本体３２は、撮影レンズ２４を前記底面部３８に向けてビデオカメラ２２をケース本体３２に挿入するとビデオカメラ２２の大半の部分が収容されるように構成されているので、また、セーフティベルト４８が設けられているので、蓋３２を付けずにビデオカメラ２２をケース本体３２に挿入して持ち歩く場合、ビデオカメラ２２をケース本体３２に安定した状態で収容させる上でも有利となっている。
【００１６】
なお、実施の形態では、ケース本体３２と蓋３４によりビデオカメラ用キャリングケース１２を構成した場合について説明したが、蓋３４を省き、ケース本体３２をそのままビデオカメラ用キャリングケース１２としてもよい。
【００１７】
【発明の効果】
以上の説明で明らかなように本発明は、グリップを有するビデオカメラが収容されるビデオカメラ用キャリングケースであって、周面部と底面部からなり上部が開放されたケース本体を備え、前記周面部には、ビデオカメラがケース本体に収容された状態で前記グリップを周面部の外側に突出させる欠部が上方に開放状に形成されている構成とした。
そのため、ビデオカメラをビデオカメラ用キャリングケースに収容した状態から簡単に取り出すことができ、チャンスを逃がすことなく撮影することが可能となる。
【図面の簡単な説明】
【図１】図１はケース本体に蓋が取着され、かつ、ビデオカメラが収容されていない状態のビデオカメラ用キャリングケースの説明図で、（Ａ）はその平面図、（Ｂ）はその正面図である。
【図２】図２（Ａ）は図１（Ａ）のＣ矢視図、図２（Ｂ）は図２（Ａ）のＤ矢視図である。
【図３】（Ａ）は蓋が取り外されたケース本体にビデオカメラが挿入された状態の正面図、（Ｂ）はケース本体にビデオカメラが挿入され蓋が取着された状態の正面図である。
【図４】ケース本体にビデオカメラが挿入され蓋が取着された状態の平面図である。
【図５】蓋が取り外されたケース本体をズボンのベルトに吊り下げこのケース本体にビデオカメラを挿入した状態の斜視図である。
【符号の説明】
１２……ビデオカメラ用キャリングケース、２２……ビデオカメラ、２８……グリップ、３２……ケース本体、３４……蓋、４０……欠部、４２……ベルト、４６……ショルダーベルト。
【図１】
0004032480.tif 000002
【図２】
0004032480.tif 000003
【図３】
0004032480.tif 000004
【図４】
0004032480.tif 000005
【図５】
0004032480.tif 000006